(57)【要約】      （修正有）【課題】鏡板の揺動に連動して引出体を任意の位置で停止させることが可能であり、十分なロック力を発揮することが可能であり、且つ、ロック解除操作も容易であるような引出体のロック装置を提供する。【解決手段】筐体に引出可能に設けられ揺動可能な鏡板を備えた引出体１０を、前記筐体に対する任意の位置にてロックさせる引出体１０のロック装置において、前記筐体または前記引出体１０の一方に設けられ、複数のラック歯または凹凸部からなる被係止部を有するラック体３０と、前記筐体または前記引出体１０の他方に設けられ、前記被係止部に係脱可能な係止部４１を有するロック部材４０と、前記鏡板８０の揺動に連動して移動するリンク部材と、前記リンク部材５０の移動動作に応じて、前記ロック部材４０をラック歯または凹凸部に対して係合乃至離脱させる作動手段と、を備えたことを特徴とする引出体のロック装置。【選択図】図１
2015204915.tif 000002
【特許請求の範囲】
【請求項１】
筐体に引出可能に設けられ揺動可能な鏡板を備えた引出体を、前記筐体に対する任意の位置にてロックさせる引出体のロック装置において、
前記筐体または前記引出体の一方に設けられ、複数のラック歯または凹凸部からなる被係止部を有するラック体と、
前記筐体または前記引出体の他方に設けられ、前記被係止部に係脱可能な係止部を有するロック部材と、
前記鏡板の揺動に連動して移動するリンク部材と、
前記リンク部材の移動動作に応じて、前記ロック部材をラック歯または凹凸部に対して係合乃至離脱させる作動手段と、
を備えたことを特徴とする引出体のロック装置。
【請求項２】
前記作動手段は、前記ロック部材と前記リンク部材の一方に設けられたカム斜面と、前記ロック部材と前記リンク部材の他方に設けられ前記カム斜面に摺接するカム斜面または突起部と、を有する
ことを特徴とする請求項1に記載の引出体のロック装置。
【請求項３】
前記ロック部材は、ラック歯または凹凸部に対して係合する方向に第１バネによって付勢されており、
前記ロック部材と前記リンク部材の一方に設けられたカム斜面と、前記ロック部材と前記リンク部材の他方に設けられたカム斜面または突起部とは、互いに摺接した状態において、前記ロック部材を、前記第１バネの付勢力に抗して、ラック歯または凹凸部に対して離脱させる
ことを特徴とする請求項２に記載の引出体のロック装置。
【請求項４】
前記ロック部材及び前記リンク部材が一方向へ移動される際には前記係止部が前記被係止部へ係合することを阻止し、前記ロック部材及び前記リンク部材が他方向へ移動される際には前記係止部が前記被係止部へ係合することを許容する支持部材
を更に備えたことを特徴とする請求項1乃至３のいずれかに記載の引出体のロック装置。
【請求項５】
前記ラック体には、凹凸の無い平坦なガイドレール部が設けられており、
前記支持部材は、前記ロック部材及び前記リンク部材が一方向へ移動される際に前記ガイドレール部に当接して第１姿勢をとり、当該第１姿勢において前記係止部が前記被係止部へ係合することを阻止するようになっていると共に、前記ロック部材及び前記リンク部材が他方向へ移動される際に前記ガイドレール部に当接して第２姿勢をとり、当該第２姿勢において前記係止部が前記被係止部へ係合することを許容するようになっている
ことを特徴とする請求項４に記載の引出体のロック装置。
【請求項６】
前記支持部材は、前記ロック部材に対して自然状態で第１姿勢をとるように、第２バネによって付勢されている
ことを特徴とする請求項５に記載の引出体のロック装置。
【請求項７】
前記支持部材の前記ガイドレール部に対する接触部には、軟質材が設けられている
ことを特徴とする請求項５または６に記載の引出体のロック装置。
【請求項８】
前記ロック部材の前記係止部には、ローラが設けられている
ことを特徴とする請求項１乃至７のいずれかに記載の引出体のロック装置。
【発明の詳細な説明】
【技術分野】
【０００１】
本発明は、筐体に引出可能に設けられた引出体を、前記筐体に対する任意の位置にてロックさせる引出体のロック装置に関する。
【背景技術】
【０００２】
筐体に引出可能に設けられた引出体を、前記筐体に対する任意の位置にてロックさせる引出体のロック装置として、本件出願人は特許文献１の特許を取得している。
【０００３】
当該特許においては、引出体に設けられたラック歯と、筐体側に設けられ当該ラック歯に対して進退可能に付勢されたストッパ部材と、を利用している。そして、ラック歯にストッパ部材が噛み合うことにより、引出体を筐体に対する任意の位置で停止させることが可能である（いわゆるフリーストップ）。
【先行技術文献】
【特許文献】
【０００４】
【特許文献１】特許第５３５２４８１号
【発明の概要】
【発明が解決しようとする課題】
【０００５】
前述した特許は、引出体を筐体に対する任意の位置で停止させることができるため、非常に有用である。
【０００６】
しかしながら、前述した特許においては、ストッパ部材が常にラック歯に対して付勢されているため、非ロック状態においてストッパ部材が常に摺動していて、ホコリ等の異物がつきやすい。
【０００７】
また、前述した特許においては、ロックを解除する際、ストッパ部材のラック歯に対する噛み合い力（ストッパ部材の付勢力に基づく）を上回る力で引出体を移動させるだけで足りてしまうため、引出体の不所望の少量の動きによってロックが不所望に解除されてしまうことがある。
【０００８】
一方で、本件発明者は、引出体に揺動可能な鏡板を設け、当該鏡板の揺動を利用して引出体のロック操作／ロック解除操作を行うことが、利用者にとって操作性が良いことを知見した。
【０００９】
本発明は、以上の知見に基づいて創案されたものである。本発明の目的は、筐体に引出可能に設けられた引出体を、前記筐体に対する任意の位置にてロックさせる引出体のロック装置であって、鏡板の揺動に連動して引出体を任意の位置で停止させることが可能であり、十分なロック力を発揮することが可能であり、且つ、ロック解除操作も容易であるような引出体のロック装置を提供することである。
【課題を解決するための手段】
【００１０】
本発明は、筐体に引出可能に設けられ揺動可能な鏡板を備えた引出体を、前記筐体に対する任意の位置にてロックさせる引出体のロック装置において、前記筐体または前記引出体の一方に設けられ、複数のラック歯または凹凸部からなる被係止部を有するラック体と、前記筐体または前記引出体の他方に設けられ、前記被係止部に係脱可能な係止部を有するロック部材と、前記鏡板の揺動に連動して移動するリンク部材と、前記リンク部材の移動動作に応じて、前記ロック部材をラック歯または凹凸部に対して係合乃至離脱させる作動手段と、を備えたことを特徴とする引出体のロック装置である。
【００１１】
本発明によれば、鏡板の揺動に連動するリンク部材の移動動作に応じて、作動手段がロック部材をラック歯または凹凸部に対して係合乃至離脱させることにより、鏡板の揺動に連動して引出体を任意の位置で停止させることができる。
【００１２】
前記作動手段は、例えば、前記ロック部材と前記リンク部材の一方に設けられたカム斜面と、前記ロック部材と前記リンク部材の他方に設けられ前記カム斜面に摺接するカム斜面または突起部と、を有する。
【００１３】
このような簡易な構成によって、ロック部材のラック歯または凹凸部に対する係合乃至離脱を容易に制御することができる。
【００１４】
更に好ましくは、前記ロック部材は、ラック歯または凹凸部に対して係合する方向に第１バネによって付勢されており、前記ロック部材と前記リンク部材の一方に設けられたカム斜面と、前記ロック部材と前記リンク部材の他方に設けられたカム斜面または突起部とは、互いに摺接した状態において、前記ロック部材を、前記第１バネの付勢力に抗して、ラック歯または凹凸部に対して離脱させるようになっている。
【００１５】
このようなバネ機構を採用することにより、平時においてはロック部材がラック歯または凹凸部に対して係合していて、引出体移動時にのみロック部材がラック歯または凹凸部から離脱している、という態様を実現することができる。また、第１バネの付勢力を調整することで、十分なロック力を発揮させることが容易である。
【００１６】
また、前記ロック部材及び前記リンク部材が一方向へ移動される際には前記係止部が前記被係止部へ係合することを阻止し、前記ロック部材及び前記リンク部材が他方向へ移動される際には前記係止部が前記被係止部へ係合することを許容する支持部材、を更に備えることが好ましい。
【００１７】
この場合、更に、前記ラック体には、凹凸の無い平坦なガイドレール部が設けられていて、前記支持部材は、前記ロック部材及び前記リンク部材が一方向へ移動される際に前記ガイドレール部に当接して第１姿勢をとり、当該第１姿勢において前記係止部が前記被係止部へ係合することを阻止するようになっていると共に、前記ロック部材及び前記リンク部材が他方向へ移動される際に前記ガイドレール部に当接して第２姿勢をとり、当該第２姿勢において前記係止部が前記被係止部へ係合することを許容するようになっていることが好ましい。
【００１８】
このような態様では、支持部材がガイドレール部に当接する姿勢によって係止部の位置制御が実現されるため、当該係止部が非係合時に他の部材と摺動することを回避することができる。
【００１９】
この場合、更に好ましくは、前記支持部材は、前記ロック部材に対して自然状態で第１姿勢をとるように、第２バネによって付勢されている。
【００２０】
このようなバネ機構を採用することにより、いわゆるオートクローズ機能との組み合わせにより、平時においてはロック部材がラック歯または凹凸部に対して係合しようとし、引出体移動時にのみロック部材がラック歯または凹凸部から離脱しようとする、という態様を実現することができる。
【００２１】
なお、前記支持部材の前記ガイドレール部に対する接触部には、軟質材が設けられていることが好ましい。この場合、支持部材の摺動音が低減される。
【００２２】
また、前記ロック部材の前記係止部には、ローラが設けられていることが好ましい。この場合、係止部の係合状態（ロック状態）と離脱状態（ロック解除状態）との間の移行がスムーズである。
【発明の効果】
【００２３】
本発明によれば、鏡板の揺動に連動するリンク部材の移動動作に応じて、作動手段がロック部材をラック歯または凹凸部に対して係合乃至離脱させることにより、鏡板の揺動に連動して引出体を任意の位置で停止させることができる。
【図面の簡単な説明】
【００２４】
【図１】本発明の一実施の形態の引出体のロック装置を内蔵した引出装置を示す概略斜視図である。
【図２】引出体収納時（鏡板も立っている）の、図１の引出体のロック装置の概略平面図である。
【図３】引出体開放時に鏡板の揺動を開始した時の、図１の引出体のロック装置の概略平面図である。
【図４】引出体開放時に鏡板を揺動して引出体をロックした時の、図１の引出体のロック装置の概略平面図である。
【図５】引出体開放時に鏡板の揺動を戻して引出体のロックを解除した時の、図１の引出体のロック装置の概略平面図である。
【図６】図１の引出体のロック装置におけるラック体の三面図である。
【図７】図１の引出体のロック装置におけるロック部材の三面図である。
【図８】図１の引出体のロック装置におけるリンク部材の三面図である。
【図９】図１の引出体のロック装置における支持部材の三面図である。
【発明を実施するための形態】
【００２５】
以下に、添付の図面を参照して、本発明の実施の形態を詳細に説明する。
【００２６】
図１は、本発明の一実施の形態の引出体のロック装置１００を内蔵した引出装置を示す概略斜視図である。図２は、引出体収納時（鏡板も立っている）の、図１の引出体のロック装置１００の概略平面図であり、図３は、引出体開放時に鏡板８０の揺動を開始した時の、図１の引出体のロック装置１００の概略平面図であり、図４は、引出体開放時に鏡板８０を揺動して引出体１０をロックした時の、図１の引出体のロック装置１００の概略平面図であり、図５は、引出体開放時に鏡板８０の揺動を戻して引出体１０のロックを解除した時の、図１の引出体のロック装置１００の概略平面図である。
【００２７】
そして、図６は、図１の引出体のロック装置１００におけるラック体３０の三面図であり、図７は、図１の引出体のロック装置１００におけるロック部材４０の三面図であり、図８は、図１の引出体のロック装置１００におけるリンク部材５０の三面図であり、図９は、図１の引出体のロック装置における支持部材６０の三面図である。
【００２８】
図１乃至図９に示すように、本発明の一実施の形態の引出体のロック装置１００は、筐体（不図示）に引出可能に設けられ揺動可能な鏡板８０を備えた引出体１０を、前記筐体に対する任意の位置にてロックさせる引出体のロック装置１００である。引出体のロック装置１００は、引出体１０に対して、左右両側に設けられてもよいし、片側のみに設けられてもよい。
【００２９】
本実施の形態では、筐体（不図示）に、図１及び図６に示すように、複数のラック歯３１（凹凸部であってもよい）からなる被係止部３２を有するラック体３０が設けられている。一方で、引出体１０の方に、図１及び図７に示すように、被係止部３２に係脱可能な係止部４１を有するロック部材４０が設けられている。ロック部材４０の係止部４１には、ローラ４２が設けられているが（図１参照）、図７では、その図示が省略されている。
【００３０】
図２乃至図５に示すように、引出体１０には、鏡板８０の揺動に連動して移動するリンク部材５０と、リンク部材５０の移動動作に応じてロック部材４０をラック歯３１に対して係合乃至離脱させる作動手段と、が設けられている。具体的には、本実施の形態の作動手段は、リンク部材５０に設けられたカム斜面５２と、ロック部材４０に設けられカム斜面５２に摺接する突起部４２（カム斜面であってもよい）と、を有している。
【００３１】
更に、本実施の形態のロック部材４０は、回動軸４３（図２参照）回りに、ラック歯３１に対して係合する方向（図２の矢印方向）に第１バネ４４によって付勢されている（図１参照）。そして、リンク部材５０に設けられたカム斜面５２と、ロック部材４０に設けられた突起部４２とは、互いに摺接した状態（図２の状態）において、ロック部材４０を第１バネ４４の付勢力に抗してラック歯３１に対して離脱した位置に維持させるようになっている。
【００３２】
また、本実施の形態のロック部材４０には、当該ロック部材４０及びリンク部材５０が一方向（図２乃至図５の左方向）へ移動される際には係止部４１が被係止部３２へ係合することを阻止し、ロック部材４０及びリンク部材５０が他方向（図２乃至図５の右方向）へ移動される際には係止部４１が被係止部３２へ係合することを許容する支持部材６０が設けられている。
【００３３】
そして、ラック体３０のラック歯３１の周囲の凹凸の無い平坦なガイドレール部３３（図６参照）に対して、支持部材６０は、当接ないし摺接するようになっている。具体的には、支持部材６０は、ロック部材４０及びリンク部材５０が一方向（図２乃至図５の左方向）へ移動される際にガイドレール部３３に当接して第１姿勢（図２、図３及び図５の姿勢）をとり、当該第１姿勢において係止部４１が被係止部３２へ係合することを阻止するようになっていると共に、ロック部材４０及びリンク部材５０が他方向（図２乃至図５の右方向）へ移動される際にガイドレール部３３に当接しつつ第２姿勢（図４の姿勢）をとり、当該第２姿勢において係止部４１が被係止部３２へ係合することを許容するようになっている。
【００３４】
また、本実施の形態の支持部材６０は、ロック部材４０に対して自然状態で第１姿勢をとるように、第２バネ６２によって付勢されている。また、支持部材６０のガイドレール部３３に対する接触部には、図１乃至図５に示すように、軟質材である樹脂製またはゴム製のカバー６４が設けられている。但し、図９では、カバー６４の図示は省略されている。
【００３５】
その他、本実施の形態の引出体１０は、いわゆるオートクローズ機能を有しており、ロック解除状態の引出体１０は、自動的に奥方への移動力が作用するようになっている。
【００３６】
次に、以上のような本実施の形態の作用について説明する。引出体１０の収納時には、鏡板８０も立った状態にある。この時、リンク部材５０の位置は、図２に示す位置にある。これにより、リンク部材５０のカム斜面５２が、第１バネ４４の付勢力に抗して、ロック部材４０の突起部４２を外方（図２の下方）へと押しやり、この結果、ロック部材４０はラック歯３１に対して離脱した位置に維持される。
【００３７】
引出体１０が開放された後で、鏡板８０の揺動が開始されると、鏡板８０の揺動に連動してリンク部材５０が引出体１０の奥方（図３の右方）へと移動する。これにより、図３に示すように、ロック部材４０の突起部４２がリンク部材５０のカム斜面５２から離れ、第１バネ４４の付勢力によって、第１姿勢の支持部材６０がガイドレール部３３に当接する。
【００３８】
前述の通り、本実施の形態の引出体１０は、オートクローズ機能を有しているため、利用者が手を離すと自動的に奥方への移動を開始する。これにより、図３に示す支持部材６０とガイドレール部３３との当接点を支点にして、支持部材６０が第２バネ６２の付勢力に抗してロック部材４０に対して回動する。そして、この支持部材６０の回動運動の結果、図４に示すように、ロック部材４０の係止部４１が被係止部３２のラック歯３１に係合し、引出体１０の奥方への移動を阻止してその位置をロックする。
【００３９】
鏡板８０の揺動を戻せば、図５に示すように、リンク部材５０が引出体１０の前方（図５の左方）へと戻る。そして、再びリンク部材５０のカム斜面５２が、第１バネ４４の付勢力に抗して、ロック部材４０の突起部４２を外方（図５の下方）へと押しやり、この結果、ロック部材４０はラック歯３１に対して離脱した位置に戻される。
【００４０】
以上のような本実施の形態によれば、鏡板８０の揺動に連動するリンク部材５０の移動動作に応じて、作動手段としてのカム斜面５２と突起部４２との協働により、ロック部材４０がラック歯３１に対して係合乃至離脱できる。これにより、鏡板８０の揺動に連動して引出体１０を任意の位置で停止させることができる。
【００４１】
特に、作動手段が、カム斜面５２と突起部４２という簡易な構成によって実現されているため、ロック部材４０のラック歯３１に対する係合乃至離脱を容易に制御することができる。
【００４２】
更に本実施の形態では、ロック部材４０は、ラック歯３１に対して係合する方向に第１バネ４４によって付勢されている。このことにより、平時においてはロック部材４０がラック歯３１に対して係合していて、引出体１０の移動時にのみロック部材４０がラック歯３１から離脱している、という態様を実現することができる。また、第１バネ４４の付勢力を調整することで、十分なロック力を発揮させることが容易である。
【００４３】
また、本実施の形態では、ラック体３０に凹凸の無い平坦なガイドレール部３３が設けられていて、支持部材６０は、ロック部材４０及びリンク部材５０が一方向（図２乃至図５の左方向）へ移動される際にガイドレール部３３に当接して第１姿勢をとり（図２、図３及び図５の姿勢）、当該第１姿勢において係止部４１が被係止部３２へ係合することを阻止するようになっていると共に、ロック部材４０及びリンク部材５０が他方向（図２乃至図５の右方向）へ移動される際にガイドレール部３３に当接しつつ第２姿勢をとり、当該第２姿勢（図４の姿勢）において係止部４１が被係止部３２へ係合することを許容するようになっているため、係止部４１が非係合時に他の部材と摺動することを回避することができる。
【００４４】
また、本実施の形態では、支持部材６０は、ロック部材４０に対して自然状態で第１姿勢をとるように、第２バネ６２によって付勢されているため、いわゆるオートクローズ機能との組み合わせにより、平時においてはロック部材４０がラック歯３１に対して係合しようとし、引出体１０の移動時にのみロック部材４０がラック歯３１から離脱しようとする、という態様を実現することができる。
【００４５】
更に、本実施の形態では、支持部材６０のガイドレール部３３に対する接触部に、軟質材としての樹脂製カバー６４が設けられているため、支持部材６０の摺動音が低減される。
【００４６】
また、本実施の形態では、ロック部材４０の係止部４１にローラ４２が設けられているため、係止部４１の係合状態（ロック状態）と離脱状態（ロック解除状態）との間の移行がスムーズである。
【符号の説明】
【００４７】
１０  引出体
３０  ラック体
３１  ラック歯
３２  被係止部
３３  ガイドレール部
４０  ロック部材
４１  係止部
４２  突起部（作動手段）
４３  回動軸
４４  第１バネ
５０  リンク部材
５２  カム斜面（作動手段）
６０  支持部材
６２  第２バネ
６４  樹脂製カバー
８０  鏡板
１００  引出体のロック装置
【図１】
2015204915.tif 000003
【図２】
2015204915.tif 000004
【図３】
2015204915.tif 000005
【図４】
2015204915.tif 000006
【図５】
2015204915.tif 000007
【図６】
2015204915.tif 000008
【図７】
2015204915.tif 000009
【図８】
2015204915.tif 000010
【図９】
2015204915.tif 000011